(57)【要約】【課題】ショーケースの商品陳列棚へ、商品を装填する際の作業性を大幅に改善することができる商品陳列具を提供する。【解決手段】商品陳列具２０は、本体２２と、この本体２２に所定の間隔を存して長手方向に渡り連続して形成された一対の商品保持部３０を備える。各商品保持部３０相互の間隔は、商品Ｇに係脱可能に係合して当該商品Ｇを保持し、且つ、商品Ｇに係合した状態で、当該商品保持部３０の長手方向に商品Ｇが移動可能となる寸法とされる。各商品保持部３０の長手方向の寸法は、複数の商品Ｇが一列に並ぶことが可能とされ、且つ、当該長手方向の一端から商品Ｇとの係合及び解除が可能とされている。【選択図】図２
2008245946.tif 000002
【特許請求の範囲】
【請求項１】
商品陳列室内に商品を装填するための商品陳列具であって、
本体と、該本体に所定の間隔を存して長手方向に渡り連続して形成された一対の商品保持部を備え、
各商品保持部相互の間隔は、前記商品に係脱可能に係合して当該商品を保持し、且つ、商品に係合した状態で、当該商品保持部の長手方向に商品が移動可能となる寸法とされると共に、
各商品保持部の長手方向の寸法は、複数の前記商品が一列に並ぶことが可能とされ、且つ、当該長手方向の一端から前記商品との係合及び解除が可能とされていることを特徴とする商品陳列具。
【請求項２】
前記商品保持部の長手方向の他端部における前記本体にはストッパが設けられていることを特徴とする請求項１に記載の商品陳列具。
【請求項３】
前記商品の一端面側からの押圧により、前記各商品保持部は弾性により前記商品に係合可能とされていることを特徴とする請求項１又は請求項２に記載の商品陳列具。
【請求項４】
前記本体は透視可能な素材にて構成されていることを特徴とする請求項１乃至請求項３の何れかに記載の商品陳列具。
【請求項５】
前記各商品保持部の外側には、前記本体から降下するノコギリ刃形状、若しくは、波形状の商品整列壁がそれぞれ設けられており、各商品整列壁は、前記商品を密接して配置した状態で隣接する商品間に進入可能な厚さ寸法を有することを特徴とする請求項１乃至請求項４の何れかに記載の商品陳列具。
【発明の詳細な説明】
【技術分野】
【０００１】
本発明は、商品陳列室内に商品を装填するための商品陳列具に関するものである。
【背景技術】
【０００２】
従来より飲料が収納されたスチール缶やアルミニウム缶、或いは、ペットボトルなどの商品が冷却或いは加温されながら陳列されるショーケース等においては、商品収納室に上下方向に並べられた複数の商品陳列棚に商品を陳列するようにしている。該商品陳列棚は、商品を並べる際、最初の商品を棚の手前、次の商品を奥に並べるように構成して、商品を手前から奥に並べるようにしている（特許文献１参照）。
【０００３】
このような商品陳列棚においては、手前側を下方に傾斜させた複数列の棚が複数段設けられている。各棚上には前後方向に同一商品が並べられると共に、各列には同一商品、或いは、異なる商品が載置され陳列されている。そして、棚上の商品は通常手前から販売されることとなり、手前の商品が販売されると、その後方に並べられた商品は傾斜により棚上を滑って手前側に移動する。これによって、冷、温商品を常に手前側に位置させると共に、お客に取り出し易くして商品の販売促進を図っていた。
【０００４】
係る商品を、棚に補充する場合は、何れかの商品が不足している棚を前面開口から手前側に引き出す。そして、段ボール箱内に立てて多数並べられている商品を、手で１本（或いは複数本）取り出しては棚上の商品（残商品）の奥側に装填し、更に、段ボール箱から商品を１本取り出しては棚上の商品の奥側に装填する操作を繰り返していた。
【特許文献１】特開平０７−１２４０４１号公報
【発明の開示】
【発明が解決しようとする課題】
【０００５】
このような、商品陳列室内の商品陳列棚は、お客が商品を取り出す際、取り出し易くなっている。しかしながら、棚に商品を並べる際は、使用者が商品陳列棚に商品を１本装填、また１本装填と、１本１本商品を装填する操作を繰り返していたので、商品陳列棚への商品の装填作業に長時間が費やされてしまう。また、熟練者によっては２乃至３本まとめて掴むことは可能であるが、その場合には棚に載せた後に整列させなければならない。このため、棚への商品の装填作業性が著しく悪いという問題があった。
【０００６】
本発明は、係る従来技術の課題を解決するために成されたものであり、ショーケースの商品陳列棚へ、商品を装填する際の作業性を大幅に改善することができる商品陳列具を提供することを目的とする。
【課題を解決するための手段】
【０００７】
即ち、本発明の商品陳列具は、商品陳列室内に商品を装填するための商品陳列具であって、本体と、該本体に所定の間隔を存して長手方向に渡り連続して形成された一対の商品保持部を備え、各商品保持部相互の間隔は、商品に係脱可能に係合して当該商品を保持し、且つ、商品に係合した状態で、当該商品保持部の長手方向に商品が移動可能となる寸法とされると共に、各商品保持部の長手方向の寸法は、複数の商品が一列に並ぶことが可能とされ、且つ、当該長手方向の一端から商品との係合及び解除が可能とされていることを特徴とする。
【０００８】
また、請求項２の発明の商品陳列具は、上記において、商品保持部の長手方向の他端部における本体にはストッパが設けられていることを特徴とする。
【０００９】
また、請求項３の発明の商品陳列具は、請求項１又は請求項２において、商品の一端面側からの押圧により、各商品保持部は弾性により、商品に係合可能とされていることを特徴とする。
【００１０】
また、請求項４の発明の商品陳列具は、請求項１乃至請求項３の何れかにおいて、本体は透視可能な素材にて構成されていることを特徴とする。
【００１１】
また、請求項５の発明の商品陳列具は、請求項１乃至請求項４の何れかにおいて、各商品保持部の外側には、本体から降下するノコギリ刃形状、若しくは、波形状の商品整列壁がそれぞれ設けられており、各商品整列壁は、商品を密接して配置した状態で隣接する商品間に進入可能な厚さ寸法を有することを特徴とする。
【発明の効果】
【００１２】
本発明の商品陳列具によれば、本体と、この本体に所定の間隔を存して長手方向に渡り連続して形成された一対の商品保持部を備え、各商品保持部相互の間隔は、商品に係脱可能に係合して当該商品を保持し、且つ、商品に係合した状態で、当該商品保持部の長手方向に商品が移動可能となる寸法とされると共に、各商品保持部の長手方向の寸法は、複数の商品が一列に並ぶことが可能とされ、且つ、当該長手方向の一端から商品との係合及び解除が可能とされているので、商品陳列室内に商品を装填する際、複数の商品を商品陳列具の商品保持部に係合保持させた状態で、商品陳列室内に挿入して商品を載置し、その状態で長手方向の他端側に商品陳列具を移動させるだけで、商品陳列室内に複数の商品を一度に装填し、且つ、一列に並べることができるようになる。これにより、商品陳列室内への商品の装填作業が著しく改善されるものである。
【００１３】
また、請求項２の発明の如く商品保持部の長手方向の他端部における本体にストッパを設ければ、商品陳列室内への装填中に商品が他端側から脱落してしまう不都合も無くなるものである。
【００１４】
更に、請求項３の発明の如く各商品保持部は弾性により、商品の一端面側からの押圧により商品に係合可能とすれば、商品の一端面側を上側とし、上から商品陳列具を商品に押し付けるだけで、商品保持部に複数の商品を係合保持させることができるようになるものである。
【００１５】
また、請求項４の発明の如く本体を透視可能な素材にて構成すれば、商品に押し付ける際の位置決めも容易となるものである。
【００１６】
更にまた、請求項５の発明の如く各商品保持部の外側に、本体から降下するノコギリ刃形状、若しくは、波形状の商品整列壁をそれぞれ設け、各商品整列壁を、商品を密接して配置した状態で隣接する商品間に進入可能な厚さ寸法とすることにより、商品が整列されていない状態であっても、上から商品間に商品整列壁を挿入することにより、そのノコギリ刃形状、若しくは、波形状の傾斜によって商品を商品保持部間の下方に引き込んで整列させることが可能となる。これにより、商品装填作業は一段と改善されるものである。
【発明を実施するための最良の形態】
【００１７】
本発明は、ショーケースの商品陳列棚へ、商品を装填する際の作業性が悪いのを改善するため、商品陳列棚へ複数の商品を一度に装填することを最も主要な特徴とする。商品陳列棚へ複数の商品を一度に装填するという目的を、複数の商品を商品陳列具に保持して商品陳列棚に装填することにより実現した。
【実施例１】
【００１８】
以下、本発明の実施の形態を図面に基づいて説明する。図１は本発明の商品陳列具２０を適用可能なショーケース１の縦断側面図、図２は複数の商品Ｇを保持した商品陳列具２０の斜視図をそれぞれ示している。
【００１９】
本実施形態における商品陳列具２０は、例えばコンビニエンスストアなどの店舗内に設置される冷・温切替式のショーケース１などに適用されるものである。該ショーケース１は、図１に示すように断面略コ字状の断熱壁３とその両側に取り付けられた側板４とから前面に開口するショーケース本体６が構成されている。
【００２０】
断熱壁３の内側には所定の間隔を存して仕切壁７が取り付けられ、これら仕切壁７と断熱壁３間にダクト８が構成され、この仕切壁７の内側に、前面に開口した商品陳列室９が構成されている。商品陳列室９（ショーケース本体６）の前面開口の上下縁には吐出口１１と吸込口１２が構成されてダクト８に連通しており、ダクト８内には図示しない冷却装置の冷却器１３と送風機１４とが配設されている。
【００２１】
一方、商品陳列室９内には、上下複数段の商品Ｇを陳列する商品陳列棚２・・・（実施例では６段）が架設され、各商品陳列棚２上には円筒形のアルミニウム缶飲料、或いは、スチール缶飲料や、ペットボトル入り飲料等の商品Ｇが載置され、陳列される。各商品陳列棚２・・・は前側が低く傾斜して架設されており、これにより、最も手前の商品Ｇが取り出されると、その列の後方の商品Ｇが順次前方に移動する構成とされている。尚、図１では商品Ｇを、ペットボトルで図示している。以降商品陳列棚２を、棚２と称す。
【００２２】
また、各棚２・・・は棚段数や、各棚２間隔を変更するため、ブラケット１６と図示しない支柱との係合により着脱自在の構成とされている。これらの棚２・・・は、それぞれ前方に引出可能なスライド構造とされ、図１の如く商品陳列室９内に保持された状態と、前面開口から手前側に引き出された状態（図示せず）とに保持可能とされている。
【００２３】
そして、商品Ｇ補充時には、各棚２・・・が前面開口から手前側に引き出され、棚２の奥側から商品Ｇが補充される。これによって、各棚２・・・の手前側に位置し、商品陳列室９内で所定温度に冷却（或いは加温）された商品Ｇを常にお客に提供できるようにしている。即ち、商品陳列室９内で所定温度に冷却された商品Ｇを、お客が取り出し易いように棚２の手前側に位置させ、新たに補充するまだ冷却されていない商品Ｇを棚２の奥側に装填できるように構成している。
【００２４】
一方、棚２に商品Ｇを補充する際、従来では、何れかの商品Ｇが不足している棚２を前面開口から手前側に引き出す。そして、図示しない段ボール箱内に立てて並べられている商品Ｇを、手で１本（或いは２乃至３本）取り出して棚２上に陳列された商品Ｇの奥側に装填し、また、段ボール箱内から商品Ｇを１本取り出して棚２上に陳列された商品Ｇの奥側に装填する操作が繰り返されていた。
【００２５】
そこで、複数本の商品Ｇを、棚２上に陳列された商品Ｇの奥側に一度に装填することができる本発明の商品陳列具２０を、図２を参照して説明を行う。尚、商品Ｇは、コーヒーやお茶ジュースなどの飲料水が封入された円筒形のスチール缶、或いは、アルミニウム缶にて説明する。この商品Ｇ（缶）は、商品Ｇ製造時に一端面側（飲み口側）近傍（一端面側より僅か他端面側）に括れ部ＧＫ（図３に図示）が形成されており、商品陳列具２０は、この括れ部ＧＫを保持する構成とされている。
【００２６】
即ち、商品陳列具２０は、図２、図３に示すように同時に３本の商品Ｇを保持可能に構成されている。詳しくは、商品陳列具２０は、商品Ｇの上から当該商品陳列具２０を押圧した際、弾性変形して商品Ｇの括れ部ＧＫに係合可能に構成されている。また、商品陳列具２０は、商品Ｇの重量によって、対向する両商品保持部３０間が開きにくい硬さを有すると共に、耐摩耗性に優れた透明なポリカーボネート樹脂製（本発明の透視可能な素材に相当）にて構成されている。
【００２７】
ここで、商品陳列具２０で、両商品保持部３０間に１本乃至２本の商品Ｇを保持して使用する場合、商品Ｇの本数が少なくて商品陳列具２０を使用するメリットが小さく、また、商品Ｇ数が３本以上（４本乃至６本）と多くなると、それらの数の商品Ｇを保持した商品陳列具２０が重くなって取り扱いが困難になってしまう。また、棚２の奥側へ装填できる商品Ｇの数量が少ない場合、商品陳列具２０に多数の商品Ｇを保持可能な寸法とすると、棚２の奥行き寸法との関係から大きすぎてしまい、商品陳列具２０の使用が困難となってしまう。このため、３本の商品Ｇを商品陳列具２０に保持するのが適当と思われるため、実施例では、商品陳列具２０に保持できる商品Ｇ数を３本としている。
【００２８】
該商品陳列具２０は、図４、図５、図６、図７に示す如く縦長略矩形状の本体２２と、この本体２２の長手方向に渡って両側に設けられ、略直角に折れ曲がると共に本体２２に連続して設けられた一対の商品整列壁２６とから構成されている。該商品陳列具２０は、弾性を有する弾性部材（例えば、透明なポリカーボネート樹脂）にて厚さ約２ｍｍにて構成されると共に、本体２２と両商品整列壁２６は一体に成形されている。具体的には、例えば本体２２の長さは、商品Ｇの直径の、約３倍となる約１６０ｍｍ、幅（内法）は略商品Ｇの直径より僅か広い約５５ｍｍ、厚さ約は２ｍｍにて形成されている。尚、商品整列壁２６については後で説明する。
【００２９】
両商品整列壁２６の相対向する内面上部には、長手方向に渡って商品保持部３０がそれぞれ設けられており、これらの両商品保持部３０は相互に対向する位置に形成されると共に、相互に近接する方向に所定寸法（約１．５ｍｍ）突出している。また、両商品保持部３０の本体２２側の面（上面）は当該本体２２と略平行の平面とされると共に、反対側の面（下面）は本体２２から離間する方向（下方）に向かって徐々に商品整列壁２６に近接傾斜面とされている。即ち、商品保持部３０は、商品整列壁２６より所定寸法突出し、この本体２２側は当該本体２２と平行な平面、本体２２とは反対側は本体２２と離間するに従って商品整列壁２６に近接する傾斜面とされている。
【００３０】
この商品保持部３０は、商品Ｇの括れ部ＧＫに挿入可能に構成されており、両商品保持部３０を商品Ｇの括れ部ＧＫに係合させた状態で、商品保持部３０の長手方向に商品Ｇの移動を円滑に行えるように構成している。そして、商品陳列具２０の両商品保持部３０間に商品Ｇの一端面側（上側）を挿入、即ち、商品Ｇに上から商品陳列具２０を被せて、商品陳列具２０を商品Ｇに押圧することにより、商品Ｇは、商品保持部３０の下側の傾斜面に案内されながら、引っかかることなく両商品保持部３０間に係合保持（この場合、商品Ｇの括れ部ＧＫが係合保持）されるものである。
【００３１】
即ち、両商品保持部３０は、商品Ｇの括れ部ＧＫに係合可能に形成されている。そして、商品Ｇの括れ部ＧＫに商品保持部３０が係合された状態では、商品Ｇ（括れ部ＧＫ）に商品保持部３０（この場合、商品保持部３０の本体２２側の平面部）が確実に引っかかって、商品Ｇは本体２２から離間する方向に外れることがない形状及び寸法にて両商品保持部３０が構成されている。尚、商品Ｇに、商品保持部３０を係合させる場合、両商品保持部３０の長手方向一端（ストッパ３４の反対側）から、両商品保持部３０に商品Ｇを挿入（括れ部ＧＫを挿入）しても差し支えない。
【００３２】
一方、本体２２の略中央には、長手方向に渡って商品整列壁２６の延在方向と同じ方向に所定寸法（約０．２ｍｍ〜０．３ｍｍ）突出する突起２４が設けられており、この突起２４は、商品保持部３０に商品Ｇが係合保持された状態で、突起２４と商品Ｇの一端面側（飲み口側）とは所定寸法（約０．２〜０．５ｍｍ）離間している。突起２４は、本体２２の長手方向一端から、商品Ｇの括れ部ＧＫを商品保持部３０に挿入、或いは、離脱させる際、商品Ｇが透明の本体２２に擦れて、透明度が損なわれてしまうのを防止するものである。また、本体２２の長手方向一端から、商品Ｇの括れ部ＧＫを商品保持部３０に挿入する際、商品Ｇが本体２２と面で接触して重くなり、挿入し難くなってしまうのも防止する。
【００３３】
また、本体２２には、商品保持部３０に係合された商品Ｇが、本体２２の一側から脱落してしまうのを防止するためのストッパ３４が設けられている。該ストッパ３４は、商品Ｇが当接しても容易に破損することのない直径約３〜５ｍｍの弾性部材（合成樹脂）にて構成されており、商品保持部３０に商品Ｇが係合された状態で、商品Ｇが当接する長さ（約、５ｍｍ〜１０ｍｍ）にて構成されている。即ち、ストッパ３４は、商品保持部３０に商品Ｇが係合された状態で、商品Ｇが移動して、商品保持部３０より脱落してしまうのを防止できるように構成している。尚、３４Ａは、ストッパ３４を固定するための固定具（図５のみ部品番号図示）である。
【００３４】
ストッパ３４は、本体２２一側の角部近傍（図４下部左側）に設けられている。このストッパ３４は、商品保持部３０に商品Ｇが係合された状態で、商品Ｇの周縁部が本体２２端部に位置したとき、商品Ｇの周囲が当接するように設けられている。詳しくは、ストッパ３４は、商品保持部３０に商品Ｇが係合された状態で、商品Ｇが本体２２の長手方向端部に一致した状態、或いは、少しはみ出した状態、或いは、少し凹んだ状態でストップする位置に設けられている。
【００３５】
この場合、同時に３本の商品Ｇを保持した商品陳列具２０が、本体２２の両長手方向に、殆どはみ出さないようにしている。これにより、商品陳列具２０の好適な作業性及び持ち運び性が得られるように構成している。尚、両商品保持部３０間に係合保持した商品Ｇは、ストッパ３４の反対方向に商品陳列具２０を移動させるだけで、商品保持部３０から商品Ｇ（括れ部ＧＫ）を容易に外すことができるように構成している。
【００３６】
また、商品整列壁２６の端面は、図８、図９、図１０に示すようなノコギリ刃形状とされ、そこに商品整列部２８が構成される。この商品整列部２８は、商品整列壁２６の複数箇所を本体２２より所定寸法離間（約２７ｍｍ）させた山部２８Ａと、この山部２８Ａの間を本体２２側に３箇所近接（本体より約１３ｍｍ）させた谷部２８Ｂとから成る。即ち、商品整列部２８は、商品整列壁２６の一側が本体２２より所定寸法離間したところの山部２８Ａから、商品整列壁２６の他側に方向に行くに従って斜めに傾斜して本体２２側に近接している。
【００３７】
そして、所定寸法商品整列壁２６の谷部２８Ｂに至った箇所で、今度は本体２２より傾斜して離間して行き、山部２８Ａに至った箇所で、ノコギリ刃形状が一つ形成され、これが商品整列壁２６の一側から他側に渡って３箇所形成されている。このノコギリ刃形状の山部２８Ａと近接する山部２８Ａとは、商品Ｇ（缶）の直径と同寸法に形成されている。商品整列部２８は、山部２８Ａと隣接する山部２８Ａとの中間に谷部２８Ｂが形成され、この谷部２８Ｂと隣接する谷部２８Ｂの寸法も商品Ｇの直径と同寸法に構成されている。また、商品整列壁２６（商品整列部２８）はノコギリ刃形状に限らず、波形状であっても差し支えない。
【００３８】
以上の構成で次に、商品陳列具２０の使用例を説明する。尚、ショーケース１に陳列された商品Ｇが販売されて、何れかの棚２の商品Ｇが不足して、その棚２に商品Ｇが装填されるものとする。また、商品Ｇが縦横に整列されて複数本（１〜２ダース）段ボール箱に収納されているものとする。まず、図１１に示すように両商品整列壁２６を下側（商品Ｇ側）にして商品陳列具２０を手で持つ。詳しくは、上側に本体２２、下側に商品保持部３０が位置するように商品陳列具２０を手で持つ。
【００３９】
そして、図１２に示すように商品陳列具２０を商品Ｇの略真上に位置させて、本体２２を透過して下方に３本の商品Ｇが視認できたら、本体２２を上方（商品Ｇの飲み口側）から商品Ｇに押し付ける（図１２矢印）。このとき、本体２２（商品陳列具２０）を透明なポリカーボネート樹脂にて構成しているので、本体２２を透過して容易に商品Ｇを視認することができる。これにより、両商品整列壁２６間に容易に商品Ｇを位置させて、両商品整列壁２６間に商品Ｇを係合保持することができる（図１３）。
【００４０】
係る商品陳列具２０は、弾性部材にて構成しているので、商品陳列具２０を上方から商品Ｇに押し付けることにより、商品保持部３０が商品Ｇに接触して弾性変形して押し広げられる。このとき、商品陳列具２０は、本体２２の略中心部分を支点にして商品保持部３０の反対側に反る。これにより、両商品整列壁２６は相互に離間して商品保持部３０が一旦商品Ｇ外形一杯に開く。商品陳列具２０は上から商品Ｇに押し付けられているので、押し広げられた両商品保持部３０は商品Ｇの括れ部ＧＫまで挿入された箇所で弾性復帰して、商品保持部３０に商品Ｇが係合される。
【００４１】
また、両商品保持部３０は、本体２２の離間側を拡開する方向に傾斜面を形成しているので、軽い力で商品陳列具２０を上方から商品Ｇに押し付けるだけで、商品保持部３０を括れ部ＧＫに係合させることができる。また、商品陳列具２０は、長手方向ストッパ３４側を引力に対して低くし、反対側を高くすれば、商品陳列具２０から商品Ｇが容易に脱落しないので、ストッパ３４側を低くして持つ。即ち、ストッパ３４を手前側にすると共に、手前側を低くして商品陳列具２０を手で持つことにより、商品保持部３０に保持した商品Ｇがストッパ３４の反対側から脱落してしまうのを防止している。これにより、商品陳列具２０に商品Ｇを確実、且つ、安定して保持することができ、容易に持ち運ぶことが可能となる。
【００４２】
そして、ショーケース１の前面開口から、商品Ｇが不足している棚２を手前側に引き出し、棚２上に陳列された商品Ｇの奥側に、商品Ｇを保持した商品陳列具２０を位置させる。次に、商品Ｇの底部を棚２より少し浮かせた状態（ストッパ３４の長さよりも浮かせた状態）で、商品陳列具２０を手前側に引く（図１４矢印）。これにより、本体２２より商品整列壁２６側に突出しているストッパ３４が、棚２上に陳列され、まだ販売されていない商品Ｇに引っかかることなく、商品陳列具２０（商品保持部３０）を商品Ｇ（括れ部ＧＫ）から外すことができる。
【００４３】
これが繰り返されて、不足している数量の商品Ｇが棚２に装填される。そして、商品陳列具２０で複数の商品Ｇを棚２に装填した後、商品陳列具２０で保持できる数量より少ない商品Ｇ（この場合、１〜２本）の空きが棚２上にある場合は、不足数量分の商品Ｇを手で装填する。尚、棚２上に装填された商品Ｇの奥側に、まだ１〜２本商品Ｇが装填できる空きがある場合、その空きはそのままにしておいて、手で１本、１本装填しても差し支えない。また、棚２に商品Ｇが装填された後、引き出した棚２は元の位置に戻す。
【００４４】
一方、前記商品整列部２８は、段ボール箱内に収納された複数の商品Ｇが整列されて収納されていなくても（複数の商品Ｇが互い違いにずれて収納されている場合）、商品陳列具２０はそれらの整列されていない商品Ｇを容易に保持できるように構成している。即ち、段ボール内に収納された商品Ｇが左右方向、或いは前後方向に互い違いに少しずれている場合、商品保持部３０の本体２２を透過して下方を視認し、３本の商品Ｇが殆ど本体２２の下側に入るように位置させる。
【００４５】
即ち、複数の商品Ｇは、本体２２の長手方向より直交方向に互い違いに少しずれているので、その内の１本（実施例では図中上側の１本）の商品Ｇを本体２２の中央の真下に位置させ、他の２本の商品Ｇは左右に略同等にはみ出すように本体２２を位置させる（図１６）。このとき、本体２２から商品Ｇがはみ出す量は、商品Ｇの直径の約１／４、好ましくは１／５以内がよい。この状態で、商品陳列具２０を上方から商品Ｇに押し付ける（図１５矢印）。尚、本体２２の長手方向直交方向に互い違いに少しずれている１本の商品Ｇを本体２２の中央に位置（図１６中上側の１本）させたが、本体２２の中央に位置させる商品Ｇは、３本中どれを中心に位置させても差し支えない。このとき、他の２本が本体２２（商品整列壁２６）よりはみ出す量は、商品Ｇの直径の約１／４、好ましくは１／５以内とする。
【００４６】
これにより、本体２２よりはみ出している商品Ｇは、山部２８Ａと山部２８Ａとの間に位置する。そして、商品陳列具２０が上方から商品Ｇに押し付けられることにより、商品Ｇは谷部２８Ｂ方向に移動すると共に、本体２２の中央方向に移動して行く。即ち、円筒形の商品Ｇの一端面は円形形状であり、商品Ｇ周囲が山部２８Ａと谷部２８Ｂとの傾斜面に接触して谷部２８Ｂ方向に移動して行くと、商品Ｇは谷部２８Ｂ両側の傾斜面により本体２２の下面に引き込まれる。
【００４７】
これにより、本体２２よりはみ出していた商品Ｇは、内側に移動（図１６矢印）し、一列に整列されて両商品整列壁２６間に収まる。そして、更に商品陳列具２０が上方から商品Ｇに押し付けられると、前述した如き両商品整列壁２６は相互に離間して商品保持部３０が商品Ｇの括れ部ＧＫまで挿入されたところで弾性復帰して、商品Ｇは商品保持部３０に係合保持される。即ち、本体２２の長手方向直交方向に互い違いに少しずれている複数の商品Ｇは、商品保持部３０で係合保持され、商品陳列具２０に保持されることとなる（図１７）。
【００４８】
そして、商品陳列具２０に商品Ｇが係合保持された後は、前述同様ショーケース１の前面開口から、商品Ｇが不足している棚２が手前側に引き出され、棚２上に陳列された商品Ｇの奥側に商品Ｇが装填される。尚、棚２に商品Ｇが装填された後、引き出された棚２は前述同様元に戻される。
【００４９】
このように、両商品保持部３０の間隔は、商品Ｇに係脱可能に係合して当該商品Ｇを保持し、且つ、商品Ｇに係合した状態で、当該商品保持部３０の長手方向に商品Ｇの移動が可能な寸法に構成している。また、各商品保持部３０の長手方向の寸法は、複数の商品Ｇが一列に整列することができると共に、長手方向の一端（ストッパ３４の反対側）から商品Ｇとの係合及び解除が可能に構成されている。
【００５０】
これにより、ショーケース１の商品陳列室９内に設けられた棚２に、商品Ｇを装填する際、商品陳列具２０（商品保持部３０）に商品Ｇを係合保持させた状態で、商品陳列室９内に挿入することができる。また、商品陳列具２０に保持した商品Ｇを、棚２上に陳列された商品Ｇの奥側に位置させ、その状態で商品陳列具２０の長手方向他端側（ストッパ３４の反対方向）に商品陳列具２０を移動させれば、商品陳列室９内（棚２）に複数の商品Ｇを一列に並べた状態で、一度に装填することができる。
【００５１】
また、本体２２の一側端部にストッパ３４を設けているので、商品陳列室９内への装填中に商品Ｇが商品陳列具２０の他端側から脱落してしまうなどといった不都合を未然に防止することができる。
【００５２】
また、両商品保持部３０は、弾性（商品陳列具２０の弾性）によって、商品Ｇの一端面側から押圧することにより、商品Ｇ（括れ部ＧＫ）に係合可能に構成しているので、商品Ｇの一端面側（括れ部ＧＫ側）を上側として、上から商品陳列具２０を商品Ｇに押圧するだけで、両商品保持部３０を相互に離間させることができる。これにより、複数の商品Ｇを一度に商品保持部３０に係合保持させることができる。
【００５３】
また、商品陳列具２０を透視可能な素材にて構成しているので、商品陳列具２０を上方から商品Ｇに押し付ける際、本体２２の反対面から商品Ｇを透視することができる。これにより、商品保持部３０への商品Ｇの位置決めを容易に行うことが可能となる。従って、商品保持部３０への商品Ｇの位置決め作業性を大幅に向上させることができ、商品陳列室９内の棚２への商品Ｇ装填作業も極めて短時間、且つ、迅速に行うことができるようになり、商品陳列具２０の利便性を大幅に向上させることができる。
【００５４】
また、各商品保持部３０の外側となる本体２２の離間側に、それぞれ本体２２から降下するノコギリ刃形状の商品整列壁２６を設け、各商品整列壁２６を、商品Ｇを密接して配置した状態で隣接する商品Ｇ間に進入可能な厚さ寸法としている。これにより、商品Ｇが整列されていない状態であっても、上方から商品Ｇ間に商品整列壁２６（山部２８Ａ）を押し付けて挿入すれば、そのノコギリ刃形状の傾斜面（山部２８Ａから谷部２８Ｂへの傾斜面）によって、商品Ｇを本体２２下方となる両商品保持部３０間に引き込んで整列させることが可能となる。従って、両商品保持部３０への商品Ｇの装填作業性を大幅に向上させることができる。
【実施例２】
【００５５】
次に、図１８、図１９には本発明の他の実施例の商品陳列具２０を示している。該商品陳列具２０は、前述の実施例と略同じ構成を有している。以下、異なる部分について説明する。尚、前述の実施例と同じ部分にはこれと同じ符号を付し、説明を省略する。また、商品Ｇは、ボトル本体４２の飲み口に蓋４０が螺合されたペットボトルを例にして説明を行う。
【００５６】
即ち、商品陳列具２０は、図１８、図１９に示すように同時に５本の商品Ｇを保持可能に構成されている。詳しくは、商品陳列具２０の商品保持部３０は、当該商品陳列具２０を上方（蓋４０側）から商品Ｇに押し付けた際、弾性変形して蓋４０の一側（蓋４０とボトル本体４２との間）に係合可能に構成されている。また、商品陳列具２０は、商品Ｇの重量によって両商品保持部３０間が開きにくい硬さを有すると共に、耐摩耗性に優れた透明なポリカーボネート樹脂製（本発明の透視可能な素材に相当）にて構成されている。
【００５７】
ここで、商品陳列具２０は、両商品保持部３０間に１本乃至４本の商品Ｇを保持して使用する場合、商品Ｇの本数が少なくて商品陳列具２０を使用するメリットが小さく、また、商品Ｇ数が６本以上（６本乃至１０本）と多くなると、それらの数の商品Ｇを保持した商品陳列具２０が重くなって取り扱いが困難になる。また、棚２の奥側へ装填できる商品Ｇの数量が少ない場合、商品陳列具２０に多数の商品Ｇを保持すると、商品Ｇが余ってしまい、商品陳列具２０の使用が困難となってしまう。このため、５本の商品Ｇを商品陳列具２０に保持するのが適当かと思われるため、実施例では、商品陳列具２０に保持できる商品Ｇ数を５本としている。
【００５８】
該商品陳列具２０は、図２０、図２１、図２２、図２３に示すように縦長略矩形状の本体２２と、この本体２２の長手方向に渡って両側に設けられ、略直角に折れ曲がった商品整列壁２６とから構成されている。この本体２２と、商品整列壁２６とは一体に成形されている。該本体２２は、例えば、長さは商品Ｇ直径の約５倍の約３００ｍｍ、幅は略商品Ｇの蓋４０の直径より少し広い約３０ｍｍ、厚さは約２ｍｍにて形成されている。
【００５９】
商品整列壁２６の相対向する内面下部には、前述同様長手方向に渡って一対の商品保持部３０が形成されており、これらの両商品保持部３０は相互に対向する位置に形成されると共に、相互に近接する方向に所定寸法（約１．５ｍｍ）突出している。また、両商品保持部３０の本体２２側の面（上面）は当該本体２２と略平行の平面とされると共に、反対側の面（下面）は本体２２から離間する方向（下方）に向かって徐々に商品整列壁２６に近接する傾斜面とされている。即ち、商品保持部３０は、商品整列壁２６より所定寸法突出し、この本体２２側は当該本体２２と平行な平面、本体２２とは反対側は本体２２と離間するに従って商品整列壁２６に近接する傾斜面とされている。更に、この商品保持部３０の端部（本体２２とは反対側）には、案内片４４が連続して設けられている。案内片４４は商品保持部３０より所定寸法（約８ｍｍ）延在して設けられると共に、商品保持部３０の傾斜面が延長するかたちで、本体２２から離間する方向で相互に離間するように延在している。即ち、両商品整列壁２６の先端には、本体２２から離間する側が相互に拡開するかたちの案内片４４が設けられている。
【００６０】
該商品保持部３０は、商品Ｇに螺合された蓋４０の下端（ボトル本体４２側）と、ボトル本体４２との間に挿入可能に構成されており、両商品保持部３０を商品Ｇの蓋４０とボトル本体４２との間に係合させた状態で、商品保持部３０の長手方向に商品Ｇの移動が容易に行える寸法に構成されている。そして、商品陳列具２０を、商品Ｇの一端面側（蓋４０側）から当該商品Ｇに押し付ければ、商品Ｇ（蓋４０）は案内片４４に案内され、更に商品保持部３０の傾斜面に案内されながら、引っかかることなく商品Ｇ（この場合、蓋４０とボトル本体４２との間）に係合保持できるように構成されている。
【００６１】
即ち、両商品保持部３０は、商品Ｇの蓋４０とボトル本体４２間に係合可能に形成されている。そして、商品保持部３０が商品Ｇの蓋４０と、ボトル本体４２間に係合された状態では、商品保持部３０（本体２２側の平面部）は、商品Ｇ（蓋４０のボトル本体４２側）が引っかかり、本体２２より離間方向に容易に外れることがない形状及び寸法にて構成されている。尚、商品Ｇに商品保持部３０を係合させる場合、両商品保持部３０の長手方向一端（ストッパ３４の反対側）から、両商品保持部３０に商品Ｇ（蓋４０とボトル本体４２間）を挿入しても差し支えない。
【００６２】
また、本体２２には、商品保持部３０に商品Ｇが係合された状態で、本体２２の一側から商品Ｇが脱落してしまうのを防止するため、前述同様のストッパ３４が設けられている。このストッパ３４は、図２０に示すように本体２２一側の角部近傍に設けられている。そして、ストッパ３４は、商品保持部３０に商品Ｇが係合された状態で、商品Ｇの蓋４０が本体２２端部に位置したとき、蓋４０周囲に当接する位置に設けられている。詳しくは、ストッパ３４は、商品保持部３０に商品Ｇが係合された状態で、蓋４０周囲が本体２２の長手方向端部に一致した状態、或いは、少しはみ出した状態、或いは、少し凹んだ状態で停止する位置に設けられている。
【００６３】
これにより、同時に５本の商品Ｇを保持した商品陳列具２０が、商品Ｇ５本より長く、大きくならず、好適な作業性及び持ち運び性が得られるように構成されている。尚、商品保持部３０間に係合保持した商品Ｇは、商品陳列具２０をストッパ３４の反対方向に移動させるだけで、商品保持部３０を商品Ｇの蓋４０とボトル本体４２間から容易に外すことができる。
【００６４】
また、案内片４４は、図２４、図２５、図２６に示すように、本体２２の離間側にそれぞれ設けられており、両案内片４４は、前述した如き本体２２から離間するに従って拡開している。これらの案内片４４は、両商品保持部３０間と直交方向に互い違いに少しずれている商品Ｇでも、商品保持部３０間に商品Ｇを引き込めるように構成されている。
【００６５】
以上の構成で次に、商品陳列具２０の使用例を説明する。尚、ショーケース１に陳列された商品Ｇが販売されて、何れかの棚２の商品Ｇが不足して、その棚２に商品Ｇが装填されるものとする。また、商品Ｇが縦横に整列されて複数本（１〜２ダース）段ボール箱に収納されているものとする。まず、図１１に示すように両商品整列壁２６を下側（商品Ｇ側）にして商品陳列具２０を手で持つ。詳しくは、上側に本体２２、下側に商品保持部３０が位置するように商品陳列具２０を手で持つ。
【００６６】
そして、図２８に示すように商品陳列具２０を商品Ｇの上方に位置させて、本体２２下方に５本の商品Ｇが透過できたら、本体２２を商品Ｇに押し付ける（図２８矢印）。このとき、本体２２（商品陳列具２０）を透明なポリカーボネート樹脂にて構成しているので、本体２２を透過して容易に商品Ｇを視認することができる。これにより、両商品整列壁２６間に容易に商品Ｇ（蓋４０）を位置させることができるので、商品整列壁２６間に商品Ｇ（蓋４０）を係合保持することができる（図２９）。
【００６７】
係る商品陳列具２０は、弾性部材にて構成しているので、商品陳列具２０を上方から商品Ｇに押し付けることにより、商品保持部３０が商品Ｇに接触し、弾性変形して押し広げられる。このとき、商品陳列具２０は、両商品整列壁２６が離間方向に反ると共に、本体２２の中心が商品保持部３０側に反る。これによって、両商品整列壁２６は相互に離間して商品保持部３０が一旦商品Ｇの蓋４０外形一杯に開く。
【００６８】
該商品陳列具２０は、上方から商品Ｇに押し付けられるので、押し広げられた両商品保持部３０は蓋４０とボトル本体４２まで挿入された箇所で弾性復帰して、商品保持部３０に商品Ｇが係合される。また、両商品保持部３０と両案内片４４は、本体２２の離間側を拡開するように傾斜させているので、軽い力で商品陳列具２０を上方から商品Ｇに押し付ければ商品Ｇの括れ部ＧＫに商品保持部３０を係合させることができる。
【００６９】
そして、ショーケース１の前面開口から、商品Ｇが不足している棚２を手前側に引き出して、棚２上に陳列された商品Ｇの奥側に商品Ｇを保持した商品陳列具２０を位置させれば、前述同様棚２に容易に商品Ｇを装填することができると共に、前述同様の効果を得ることができる。尚、商品陳列具２０で複数の商品Ｇを棚２に装填した後、棚２上に装填された商品Ｇの奥側に更に１本〜４本の空きがある場合は、手で商品Ｇを装填してもよく、また、１乃至４本位の空きの場合はそのままでも差し支えない。また、商品陳列具２０に５本の商品Ｇを保持したが、３本保持或いは４本保持しても差し支えない。これにより、商品陳列具２０で複数の商品Ｇを棚２に装填した後、棚２上に装填された商品Ｇの奥側に更に１本〜４本の空きがある場合は、商品陳列具２０を用いて空き分の商品Ｇを装填することができる。
【００７０】
一方、前記商品整列部２８は、段ボール箱内に収納された複数の商品Ｇが整列されて収納されていなくても（複数の商品Ｇが互い違いに少しずれて収納されている場合）、商品陳列具２０はそれらの整列されていない商品Ｇを容易に保持できるように構成している。即ち、段ボール内に収納された商品Ｇが少し互い違いにずれている場合、商品保持部３０の本体２２を透過して下方を視認し、３本〜５本の商品Ｇが殆ど本体２２の下側に入るように位置させる。
【００７１】
係る複数の商品Ｇは互い違いに少しずれているので、その内の１本〜２本間隔で商品Ｇを本体２２の中央に位置させ、他の３本の商品Ｇは左右に略同等にはみ出すように本体２２を位置させる。このとき、商品Ｇが本体２２からはみ出す量は、商品Ｇ（蓋４０）の直径の約１／４、好ましくは１／５以内がよい。この状態で、商品陳列具２０を上方から商品Ｇに押し付ける。すると、本体２２よりはみ出していた商品Ｇは、本体２２が上方から商品Ｇに押し付けられることにより、両案内片４４によって両商品整列壁２６間に移動する。即ち、商品Ｇの蓋４０は案内片４４に傾斜面に接触して両商品整列壁２６間に引き寄せられる。これにより、前述同様の効果を得ることが可能となる。
【００７２】
尚、実施例では、商品陳列具２０全体を、弾性を有する弾性部材にて構成したが、本体２２を、弾性を有さない堅い金属や堅い合成樹脂などの硬質部材、商品整列壁２６及び商品保持部３０を弾性部材にて構成しても差し支えない。この場合は、本体２２が弾性変形しなくても、商品整列壁２６、或いは、商品保持部３０が弾性変形するので、両商品整列壁２６に缶やペットボトルなどの商品Ｇを係合させて保持することができる。これにより、前述同様の効果を得ることが可能となる。
【００７３】
また、本体２２を弾性部材、商品整列壁２６、及び、商品保持部３０を堅い金属や堅い合成樹脂などの硬質部材で構成しても差し支えない。この場合は、本体２２が反ることにより両商品整列壁２６が左右に離間、或いは、商品保持部３０が左右に離間するので、両商品保持部３０間に缶やペットボトルなどの商品Ｇを係合させて保持することができる。これにより、前述同様の効果を得ることが可能となる。
【００７４】
また、実施例では商品陳列具２０の形状や寸法或いは角度などを記載したが、商品陳列具２０の要旨を逸脱しない範囲内で形状や寸法を変更してもよいのは言うまでもない。勿論本発明は、上記各実施例のみに限定されるものではなく、この発明の趣旨を逸脱しない範囲で他の様々な変更を行っても本発明は有効である。
【図面の簡単な説明】
【００７５】
【図１】本発明の商品陳列具を適用可能なショーケースの縦断側面図である（実施例１）。
【図２】複数の商品（缶）を保持した本発明の商品陳列具の斜視図である。
【図３】同図２の商品陳列具の長手方向側面図である。
【図４】本発明の商品陳列具の平面図である。
【図５】同図４の商品陳列具のＡ−Ａ線断面図である。
【図６】同図４の商品陳列具の正面図である。
【図７】同図４の商品陳列具の背面図である。
【図８】同図４の商品陳列具の底面図である。
【図９】同図４の商品陳列具の側面図（右側から見た図）である。
【図１０】同図４の商品陳列具の側面図（左側から見た図）である。
【図１１】本発明の商品陳列具の斜視図である。
【図１２】商品保持部に商品（缶）を保持する状態を示す商品陳列具の斜視図である。
【図１３】商品保持部に商品（缶）を保持した状態を示す商品陳列具の斜視図である。
【図１４】商品保持部に保持した商品（缶）を外す状態を示す商品陳列具の斜視図である。
【図１５】商品（缶）が整列されていないときに商品保持部に商品を保持する状態を示す商品陳列具の斜視図である。
【図１６】整列されていない商品（缶）が両商品保持部間に引き込まれる状態を示す商品陳列具の底面図である。
【図１７】整列されていない商品（缶）が整列されて、両商品保持部間に商品が保持された状態を示す商品陳列具の底面図である。
【図１８】複数の商品（ペットボトル）を保持した本発明の商品陳列具の斜視図である（実施例２）。
【図１９】同図１８の商品陳列具の長手方向側面図である。
【図２０】本発明の商品陳列具の平面図である。
【図２１】同図２０の商品陳列具のＡ−Ａ線断面図である。
【図２２】同図２０の商品陳列具の正面図である。
【図２３】同図２０の商品陳列具の背面図である。
【図２４】同図２０の商品陳列具の底面図である。
【図２５】同図２０の商品陳列具の側面図（右側から見た図）である。
【図２６】同図２０の商品陳列具の側面図（左側から見た図）である。
【図２７】本発明の商品陳列具の斜視図である。
【図２８】商品保持部に商品（ペットボトル）を保持する状態を示す商品陳列具の斜視図である。
【図２９】商品保持部に商品（ペットボトル）を保持した状態を示す商品陳列具の斜視図である。
【図３０】商品保持部に保持した商品（ペットボトル）を外す状態を示す商品陳列具の斜視図である。に
【符号の説明】
【００７６】
１  ショーケース
２  棚
６  ショーケース本体
９  商品陳列室
１３  冷却器
１４  送風機
２０  商品陳列具
２２  本体
２６  商品整列壁
２８  商品整列部
２８Ａ  山部
２８Ｂ  谷部
３０  商品保持部
３４  ストッパ
４０  蓋
４２  ボトル本体
４４  案内片
Ｇ  商品（缶、ペットボトル）
ＧＫ  括れ部
【図１】
2008245946.tif 000003
【図２】
2008245946.tif 000004
【図３】
2008245946.tif 000005
【図４】
2008245946.tif 000006
【図５】
2008245946.tif 000007
【図６】
2008245946.tif 000008
【図７】
2008245946.tif 000009
【図８】
2008245946.tif 000010
【図９】
2008245946.tif 000011
【図１０】
2008245946.tif 000012
【図１１】
2008245946.tif 000013
【図１２】
2008245946.tif 000014
【図１３】
2008245946.tif 000015
【図１４】
2008245946.tif 000016
【図１５】
2008245946.tif 000017
【図１６】
2008245946.tif 000018
【図１７】
2008245946.tif 000019
【図１８】
2008245946.tif 000020
【図１９】
2008245946.tif 000021
【図２０】
2008245946.tif 000022
【図２１】
2008245946.tif 000023
【図２２】
2008245946.tif 000024
【図２３】
2008245946.tif 000025
【図２４】
2008245946.tif 000026
【図２５】
2008245946.tif 000027
【図２６】
2008245946.tif 000028
【図２７】
2008245946.tif 000029
【図２８】
2008245946.tif 000030
【図２９】
2008245946.tif 000031
【図３０】
2008245946.tif 000032